(57)【特許請求の範囲】
【請求項１】
ワイヤレス通信の方法であって、前記方法は、ユーザ機器（ＵＥ）が実行し、前記方法は、
ネットワーク開始型サービス品質（ＱｏＳ）プロファイルに従ってソース無線アクセスネットワーク（ＲＡＮ）と通信することと、
ターゲットＲＡＮに移行することと、
前記ターゲットＲＡＮが前記ＱｏＳプロファイルを許可することができないという指示、または前記ターゲットＲＡＮが前記ＱｏＳプロファイルをサポートしないという指示を受信することと、
前記ＵＥが、前記ＱｏＳプロファイルを再確立するためにＱｏＳセットアップをトリガすることと
を備える、ワイヤレス通信の方法。
【請求項２】
前記ＱｏＳセットアップをトリガすることは、前記ターゲットＲＡＮがセッション転送をサポートしないとき、前記ターゲットＲＡＮにおいてＲＡＮ  ＱｏＳセットアップをトリガすることを備える、
請求項１に記載の方法。
【請求項３】
前記ＱｏＳセットアップをトリガする前に所定の時間期間待つことと
をさらに備える、請求項１に記載の方法。
【請求項４】
前記ターゲットＲＡＮが前記ＱｏＳプロファイルを許可することができないという前記指示を受信したことに応答して、前記待つことと、前記所定の時間期間の後に前記ＱｏＳセットアップを前記トリガすることとを所定の回数繰り返すこと
をさらに備える、請求項３に記載の方法。
【請求項５】
所定の時間期間待つことと、
ここで、前記ＵＥが前記所定の時間期間中に前記ソースＲＡＮに戻ったとき、前記ＱｏＳセットアップを前記トリガすることは、行われる、
前記ＵＥが前記所定の時間期間中に前記ソースＲＡＮに戻らないとき、コアネットワーク要素内のＱｏＳコンテキストを削除することと
をさらに備える、請求項１に記載の方法。
【請求項６】
ワイヤレス通信ネットワークにおける動作のために構成される装置であって、
メモリと、
前記メモリに接続された少なくとも１つのプロセッサと
を備え、前記少なくとも１つのプロセッサは、
ネットワーク開始型サービス品質（ＱｏＳ）プロファイルに従ってソース無線アクセスネットワーク（ＲＡＮ）と通信することと、
ターゲットＲＡＮに移行することと、
前記ターゲットＲＡＮが前記ＱｏＳプロファイルを許可することができないという指示、または前記ターゲットＲＡＮが前記ＱｏＳプロファイルをサポートしないという指示を受信することと、
ユーザ機器（ＵＥ）が、前記ＱｏＳプロファイルを再確立するためにＱｏＳセットアップをトリガすることと
を行うように構成される、装置。
【請求項７】
前記プロセッサは、前記ターゲットＲＡＮがセッション転送をサポートしないとき、前記ターゲットＲＡＮにおいてＲＡＮ  ＱｏＳセットアップをトリガすることによって、前記ＱｏＳセットアップをトリガするようにさらに構成される、
請求項６に記載の装置。
【請求項８】
前記プロセッサは、
前記ＱｏＳセットアップをトリガする前に所定の時間期間待つことと
を行うようにさらに構成される、請求項６に記載の装置。
【請求項９】
前記プロセッサは、前記ターゲットＲＡＮが前記ＱｏＳプロファイルを許可することができないという前記指示を受信したことに応答して、前記待つことと、前記所定の時間期間の後に前記ＱｏＳセットアップを前記トリガすることとを所定の回数繰り返すようにさらに構成される、
請求項８に記載の装置。
【請求項１０】
前記プロセッサは、
所定の時間期間待つことと、
ここで、前記ＵＥが前記所定の時間期間中に前記ソースＲＡＮに戻ったとき、前記ＱｏＳセットアップを前記トリガすることが行われる、
前記ＵＥが前記所定の時間期間中に前記ソースＲＡＮに戻らないとき、コアネットワーク要素内のＱｏＳコンテキストを削除することと
を行うようにさらに構成される、請求項６に記載の装置。
【請求項１１】
マルチモデムユーザ機器（ＵＥ）におけるワイヤレス通信のために構成されるコンピュータプログラムであって、プロセッサによって実行されるプログラムコードを備え、前記プログラムコードは、
ネットワーク開始型サービス品質（ＱｏＳ）プロファイルに従ってソース無線アクセスネットワーク（ＲＡＮ）と通信するためのプログラムコードと、
ターゲットＲＡＮに移行するためのプログラムコードと、
前記ターゲットＲＡＮが前記ＱｏＳプロファイルを許可することができないという指示、または前記ターゲットＲＡＮが前記ＱｏＳプロファイルをサポートしないという指示を受信するためのプログラムコードと、
ユーザ機器（ＵＥ）が、前記ＱｏＳプロファイルを再確立するためにＱｏＳセットアップをトリガするためのプログラムコードと
を備える、コンピュータプログラム。
【請求項１２】
ワイヤレス通信システムにおいてマルチモデムユーザ機器（ＵＥ）のために動作可能な装置であって、
ネットワーク開始型サービス品質（ＱｏＳ）プロファイルに従ってソース無線アクセスネットワーク（ＲＡＮ）と通信するための手段と、
ターゲットＲＡＮに移行するための手段と、
前記ターゲットＲＡＮが前記ＱｏＳプロファイルを許可することができないという指示、または前記ターゲットＲＡＮが前記ＱｏＳプロファイルをサポートしないという指示を受信するための手段と、
ユーザ機器（ＵＥ）が、前記ＱｏＳプロファイルを再確立するためにＱｏＳセットアップをトリガするための手段と
を備える、装置。
【請求項１３】
ワイヤレス通信の方法であって、前記方法は、ユーザ機器（ＵＥ）が実行し、前記方法は、
ネットワーク開始型第１のサービス品質（ＱｏＳ）プロファイルに従って無線アクセスネットワーク（ＲＡＮ）と通信することと、
前記ＲＡＮが第２のＱｏＳプロファイルをサポートしないという指示、または前記ＲＡＮが第２のＱｏＳプロファイルを許可することができないという指示を受信することと、
前記ＵＥが、前記第１のＱｏＳプロファイルを再確立するためにＱｏＳセットアップをトリガすることと
を備える、ワイヤレス通信の方法。
【請求項１４】
前記指示が、前記ＲＡＮが前記第２のＱｏＳプロファイルを許可することができないという指示であるとき、所定の時間待つことと、次いで、
前記ＱｏＳセットアップをトリガすることを再試行することと
をさらに備える、請求項１３に記載の方法。
【請求項１５】
ワイヤレス通信ネットワークにおける動作のために構成される装置であって、
メモリと、
前記メモリに接続された少なくとも１つのプロセッサと
を備え、前記少なくとも１つのプロセッサは、
ネットワーク開始型第１のサービス品質（ＱｏＳ）プロファイルに従って無線アクセスネットワーク（ＲＡＮ）と通信することと、
前記ＲＡＮが第２のＱｏＳプロファイルをサポートしないという指示、または前記ＲＡＮが第２のＱｏＳプロファイルを許可することができないという指示を受信することと、
ユーザ機器（ＵＥ）が、前記第１のＱｏＳプロファイルを再確立するためにＱｏＳセットアップをトリガすることと
を行うように構成される、装置。
【請求項１６】
前記プロセッサは、
前記指示が、前記ＲＡＮが前記第２のＱｏＳプロファイルを許可することができないという指示であるとき、所定の時間待つことと、次いで、
前記ＱｏＳセットアップをトリガすることを再試行することと
を行うようにさらに構成される、請求項１５に記載の装置。
【請求項１７】
ワイヤレス通信のために構成されるコンピュータプログラムであって、
プロセッサによって実行されるプログラムコードを備え、前記プログラムコードは、
ネットワーク開始型第１のサービス品質（ＱｏＳ）プロファイルに従って無線アクセスネットワーク（ＲＡＮ）と通信するためのプログラムコードと、
前記ＲＡＮが第２のＱｏＳプロファイルをサポートしないという指示、または前記ＲＡＮが第２のＱｏＳプロファイルを許可することができないという指示を受信するためのプログラムコードと、
ユーザ機器（ＵＥ）が、前記第１のＱｏＳプロファイルを再確立するためにＱｏＳセットアップをトリガするためのプログラムコードと
を備える、コンピュータプログラム。
【請求項１８】
前記プログラムコードは、
前記指示が、前記ＲＡＮが前記第２のＱｏＳプロファイルを許可することができないという指示であるとき、所定の時間待つためのプログラムコードと、
前記所定の時間の後に前記ＱｏＳセットアップをトリガすることを再試行するためのプログラムコードと
をさらに備える、請求項１７に記載のコンピュータプログラム。
【請求項１９】
ワイヤレス通信ネットワークにおいて動作可能な装置であって、
ネットワーク開始型第１のサービス品質（ＱｏＳ）プロファイルに従って無線アクセスネットワーク（ＲＡＮ）と通信するための手段と、
前記ＲＡＮが第２のＱｏＳプロファイルをサポートしないという指示、または前記ＲＡＮが第２のＱｏＳプロファイルを許可することができないという指示を受信するための手段と、
ユーザ機器（ＵＥ）が、前記第１のＱｏＳプロファイルを再確立するためにＱｏＳセットアップをトリガするための手段と
を備える、装置。
【請求項２０】
前記指示が、前記ＲＡＮが前記第２のＱｏＳプロファイルを許可することができないという指示であるとき、所定の時間待つための手段と、
前記所定の時間の後に前記ＱｏＳセットアップをトリガすることを再試行するための手段と
をさらに備える、請求項１９に記載の装置。
【発明の詳細な説明】
【技術分野】
【０００１】
本開示の態様は、一般にワイヤレス通信システムに関し、より詳細には、アプリケーション介入を回避しながら、無線ネットワークとコアネットワークとが、基礎をなす技術が異なることにより同期からはずれている場合の、ネットワーク開始型ＱｏＳ中断時間またはネットワーク開始型ＱｏＳの途絶を低減することに関する。
【背景技術】
【０００２】
ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００３】
基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信器からの干渉に遭遇することがある。この干渉は、ダウンリンクとアップリンクの両方でパフォーマンスを劣化させることがある。
【０００４】
モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００５】
本開示の一態様によれば、方法が、アプリケーション介入を回避しながら、ネットワーク開始型サービス品質（ＱｏＳ）中断時間またはネットワーク開始型ＱｏＳの途絶を低減するためのユーザ機器（ＵＥ）介入を可能にする。本方法は、ネットワーク開始型サービス品質（ＱｏＳ）プロファイルに従ってソース無線アクセスネットワーク（ＲＡＮ）と通信することを含む。本方法はターゲットＲＡＮに移行することをさらに含む。本方法はまた、ユーザ機器（ＵＥ）が、ＱｏＳプロファイルを再確立するためにＱｏＳセットアップをトリガすることを含む。
【０００６】
別の態様では、ネットワーク開始型ＱｏＳ中断時間またはネットワーク開始型ＱｏＳの途絶を低減するためのＵＥ介入のための装置について説明する。本装置は、少なくとも１つのプロセッサと、少なくとも１つのプロセッサに接続されたメモリとを含む。（１つまたは複数の）プロセッサは、ネットワーク開始型サービス品質（ＱｏＳ）プロファイルに従ってソース無線アクセスネットワーク（ＲＡＮ）と通信するように構成される。（１つまたは複数の）プロセッサはまた、ターゲットＲＡＮに移行するように構成される。（１つまたは複数の）プロセッサは、ユーザ機器（ＵＥ）が、ＱｏＳプロファイルを再確立するためにＱｏＳセットアップをトリガするようにさらに構成される。
【０００７】
さらなる態様では、コンピュータプログラム製品が、ネットワーク開始型ＱｏＳ中断時間またはネットワーク開始型ＱｏＳの途絶を低減するためのＵＥ介入を可能にする。本コンピュータプログラム製品は、プログラムコードを記録した非一時的コンピュータ可読媒体を含む。本コンピュータプログラム製品は、ネットワーク開始型サービス品質（ＱｏＳ）プロファイルに従ってソース無線アクセスネットワーク（ＲＡＮ）と通信するためのプログラムコードを有する。本コンピュータプログラム製品はまた、ターゲットＲＡＮに移行するためのプログラムコードを含む。本コンピュータプログラム製品は、ユーザ機器（ＵＥ）が、ＱｏＳプロファイルを再確立するためにＱｏＳセットアップをトリガするためのプログラムコードをさらに含む。
【０００８】
別の態様では、ネットワーク開始型ＱｏＳ中断時間またはネットワーク開始型ＱｏＳの途絶を低減するためのＵＥ介入のための装置について説明する。本装置は、ネットワーク開始型サービス品質（ＱｏＳ）プロファイルに従ってソース無線アクセスネットワーク（ＲＡＮ）と通信するための手段を含む。本装置はまた、ターゲットＲＡＮに移行するための手段を含む。本装置は、ユーザ機器（ＵＥ）が、ＱｏＳプロファイルを再確立するためにＱｏＳセットアップをトリガするための手段をさらに含む。
【０００９】
本開示のさらなる態様によれば、方法が、アプリケーション介入を回避しながら、ネットワーク開始型ＱｏＳ中断時間またはネットワーク開始型ＱｏＳの途絶を低減するためのＵＥ介入を可能にする。本方法は、ネットワーク開始型第１のサービス品質（ＱｏＳ）プロファイルに従って無線アクセスネットワーク（ＲＡＮ）と通信することを含む。本方法は、ＲＡＮが第２のＱｏＳプロファイルをサポートしないという指示、またはＲＡＮが第２のＱｏＳプロファイルを許可することができないという指示を受信することをさらに含む。本方法はまた、ユーザ機器（ＵＥ）が、第１のＱｏＳプロファイルを再確立するためにＱｏＳセットアップをトリガすることを含む。
【００１０】
別の態様では、ネットワーク開始型ＱｏＳ中断時間またはネットワーク開始型ＱｏＳの途絶を低減するためのＵＥ介入のための装置について説明する。本装置は、少なくとも１つのプロセッサと、少なくとも１つのプロセッサに接続されたメモリとを含む。（１つまたは複数の）プロセッサは、ネットワーク開始型第１のサービス品質（ＱｏＳ）プロファイルに従って無線アクセスネットワーク（ＲＡＮ）と通信するように構成される。（１つまたは複数の）プロセッサはまた、ＲＡＮが第２のＱｏＳプロファイルをサポートしないという指示、またはＲＡＮが第２のＱｏＳプロファイルを許可することができないという指示を受信するように構成される。（１つまたは複数の）プロセッサは、ユーザ機器（ＵＥ）が、第１のＱｏＳプロファイルを再確立するためにＱｏＳセットアップをトリガするようにさらに構成される。
【００１１】
さらなる態様では、コンピュータプログラム製品が、ネットワーク開始型ＱｏＳ中断時間またはネットワーク開始型ＱｏＳの途絶を低減するためのＵＥ介入を可能にする。本コンピュータプログラム製品は、プログラムコードを記録した非一時的コンピュータ可読媒体を含む。本コンピュータプログラム製品は、ネットワーク開始型第１のサービス品質（ＱｏＳ）プロファイルに従って無線アクセスネットワーク（ＲＡＮ）と通信するためのプログラムコードを有する。本コンピュータプログラム製品はまた、ＲＡＮが第２のＱｏＳプロファイルをサポートしないという指示、またはＲＡＮが第２のＱｏＳプロファイルを許可することができないという指示を受信するためのプログラムコードを含む。本コンピュータプログラム製品は、ユーザ機器（ＵＥ）が、第１のＱｏＳプロファイルを再確立するためにＱｏＳセットアップをトリガするためのプログラムコードをさらに含む。
【００１２】
別の態様では、ネットワーク開始型ＱｏＳ中断時間またはネットワーク開始型ＱｏＳの途絶を低減するためのＵＥ介入のための装置について説明する。本装置は、ネットワーク開始型第１のサービス品質（ＱｏＳ）プロファイルに従って無線アクセスネットワーク（ＲＡＮ）と通信するための手段を含む。本装置はまた、ＲＡＮが第２のＱｏＳプロファイルをサポートしないという指示、またはＲＡＮが第２のＱｏＳプロファイルを許可することができないという指示を受信するための手段を含む。本装置は、ユーザ機器（ＵＥ）が、第１のＱｏＳプロファイルを再確立するためにＱｏＳセットアップをトリガするための手段をさらに含む。
【００１３】
ここでは、以下の発明を実施するための形態がより良く理解され得るように、本開示の特徴および技術的利点についてやや広く概説した。以下で、本開示の追加の特徴および利点について説明する。本開示は、本開示の同じ目的を実行するための他の構造を変更または設計するための基礎として容易に利用され得ることを、当業者は諒解されたい。また、そのような等価な構成は、添付の特許請求の範囲に記載の本開示の教示から逸脱しないことを、当業者は了解されたい。さらなる目的および利点とともに、本開示の編成と動作の方法の両方に関して、本開示を特徴づけると考えられる新規の特徴は、添付の図に関連して以下の説明を検討するとより良く理解されよう。ただし、図の各々は、例示および説明のみの目的で与えたものであり、本開示の限界を定めるものではないことを明確に理解されたい。
【図面の簡単な説明】
【００１４】
本開示の特徴、特性、および利点は、全体を通じて同様の参照符号が同様のものを指す図面とともに、以下に記載する発明を実施するための形態を読めばより明らかになろう。
【図１】電気通信システムの一例を概念的に示すブロック図。
【図２】電気通信システムにおけるダウンリンクフレーム構造の一例を概念的に示す図。
【図３】アップリンク通信における例示的なフレーム構造を概念的に示すブロック図。
【図４】本開示の一態様に従って構成される基地局／ｅノードＢおよびＵＥの設計を概念的に示すブロック図。
【図５】本開示の一態様による、発展型高速パケットデータ（ＨＲＰＤ：High Rate Packet Data）（ｅＨＲＰＤ：evolved HRPD）ネットワークを示すブロック図。
【図６】無線ネットワークとコアネットワークとが、基礎をなす技術が異なることにより同期からはずれている場合の、ネットワーク開始型サービス品質（ＱｏＳ）の中断を示すコールフロー図。
【図７】本開示の一態様による、ネットワーク開始型サービス品質（ＱｏＳ）中断時間を低減するためのユーザ機器（ＵＥ）介入を示すコールフロー図。
【図８】無線ネットワークとコアネットワークとが、基礎をなす技術が異なることにより同期からはずれている場合の、ネットワーク開始型サービス品質（ＱｏＳ）の中断を示すコールフロー図。
【図９】本開示のさらなる態様による、ネットワーク開始型サービス品質（ＱｏＳ）中断時間を低減するためのユーザ機器（ＵＥ）介入を示すコールフロー図。
【図１０】無線ネットワークとコアネットワークとが、基礎をなす技術が異なることにより同期からはずれている場合の、ネットワーク開始型サービス品質（ＱｏＳ）の中断を示すコールフロー図。
【図１１】本開示のさらなる態様による、ネットワーク開始型サービス品質（ＱｏＳ）中断時間を低減するためのユーザ機器（ＵＥ）介入を示すコールフロー図。
【図１２】本開示の追加の態様による、ネットワーク開始型サービス品質（ＱｏＳ）中断時間を低減するためのユーザ機器（ＵＥ）介入を示すコールフロー図。
【図１３】無線ネットワークとコアネットワークとが、基礎をなす技術が異なることにより同期からはずれている場合の、ネットワーク開始型サービス品質（ＱｏＳ）の中断を示すコールフロー図。
【図１４】本開示の別の態様による、ネットワーク開始型サービス品質（ＱｏＳ）中断時間を低減するためのユーザ機器（ＵＥ）介入を示すコールフロー図。
【図１５】本開示の一態様による、ネットワーク開始型サービス品質（ＱｏＳ）中断時間を低減するためのユーザ機器（ＵＥ）介入のための方法を示すブロック図。
【発明を実施するための形態】
【００１５】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を提供するための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１６】
本明細書で説明する技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）および他のネットワークなど、様々なワイヤレス通信ネットワークのために使用され得る。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はＵｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。
【００１７】
３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と呼ばれる団体からの文書に記載されている。ＣＤＭＡ２０００（登録商標）およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と呼ばれる団体からの文書に記載されている。本明細書で説明する技法は、上記のワイヤレスネットワークおよび無線アクセス技術、ならびに他のワイヤレスネットワークおよび無線アクセス技術に使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００１８】
３ＧＰＰ２団体は、データトラフィックのための様々な高度最適化技法を使用する高速パケットデータ（ＨＲＰＤ）システムを最初に導入した。ＨＲＰＤシステムによって使用される高度技法としては、チャネルセンシティブスケジューリング、高速リンク適応、ハイブリッド自動再送要求（ＨＡＲＱ：Hybrid Automatic Repeat reQuest）などがあった。ＨＲＰＤシステムは、初期に個別の１．２５メガヘルツ（ＭＨｚ）キャリアを必要とし、ボイスサービスをサポートしなかった。その結果、ＨＲＤＰは、初期にＣＤＭＡ２０００−ＥＶ−ＤＯ（ｅｖｏｌｕｔｉｏｎ  ｄａｔａ  ｏｎｌｙ）システムと呼ばれた。発展型ＨＲＤＰ（ｅＨＲＰＤ）は既存のＨＲＰＤ（ＥＶ−ＤＯ）ネットワークのアップグレードである。特に、ｅＨＲＰＤは、ＥＶ−ＤＯサービスプロバイダがそれらの既存のパケットコアにＳｙｓｔｅｍ  Ａｒｃｈｉｔｅｃｔｕｒｅ  Ｅｖｏｌｕｔｉｏｎ（ＳＡＥ）／Ｅｖｏｌｖｅｄ  Ｐａｃｋｅｔ  Ｃｏｒｅ（ＥＰＣ）アーキテクチャ要素を導入することを可能にする。
【００１９】
ｅＨＲＰＤネットワークは、ＨＲＰＤネットワークとＬＴＥネットワークとの間のギャップをブリッジするのでハイブリッドネットワークと呼ばれることがある。ｅＨＲＰＤネットワークは、無線ネットワークが３ＧＰＰ２（たとえば、ＥＶ−ＤＯ  ＲｅｖＡ／ＲｅｖＢ）であり、コアネットワークが３ＧＰＰ（ＥＰＣ）であるのでハイブリッドネットワークである。ＨＲＰＤでは、その理念は、サポートをＵＥ開始型ＱｏＳに限定することであった。ネットワーク開始型ＱｏＳは、規格ならびに商用展開においてサポートされなかった。ｅＨＲＰＤを用いて、事業者は、それらのＬＴＥネットワークと整合するようにネットワーク開始型ＱｏＳを展開することを計画している。したがって、ネットワーク開始型ＱｏＳのサポートがｅＨＲＰＤ規格に導入された。
【００２０】
本開示の一態様では、アプリケーション介入なしにネットワーク開始型ＱｏＳ中断時間またはネットワーク開始型ＱｏＳの途絶を低減するためのユーザ機器（ＵＥ）介入について説明する。無線ネットワークとコアネットワークとが、基礎をなす技術が異なることにより同期からはずれている場合、ネットワーク開始型ＱｏＳの中断（または途絶）が発生する。特に、コアネットワークによって許可され、与えられるＱｏＳは、無線ネットワークがＱｏＳを提供することができるが、無線ネットワークの性能についてのコアネットワークの知識に関して同期を失っているためにＱｏＳを提供できないシナリオにおいて中断され得る。一構成では、ＵＥは、ネットワーク開始型ＱｏＳが失われたかまたは途絶されたとき、ネットワーク開始型ＱｏＳを再開するための手段を開始することによって介入し得る。
【００２１】
この構成では、ＵＥ介入は、ＵＥアプリケーションがＱｏＳなしのままになる時間期間を低減する。さもなければ、失われたＱｏＳは、ＵＥ介入なしのサービスまたは呼の全体の持続時間の間存続し得る。ＵＥ介入は、ＲＡＮがネットワーク開始型ＱｏＳレベルをサポートするエリアにＵＥが移動したとき、ネットワーク開始型ＱｏＳを再開する。ＵＥ介入はまた、ＵＥがあるＲＡＮのカバレージエリアと別のＲＡＮのカバレージエリアとの間を移動するとき、ＥＶ−ＤＯセッション情報を移行するためのインターフェースが利用不可能である場合に実行され得る。ＵＥ介入はまた、コアネットワークがＵＥに関するＱｏＳパラメータを変更することを試みたが、ＲＡＮがその時点でＱｏＳをサポートすることができないときに実行され得る。
【００２２】
図１に、ネットワーク開始型ＱｏＳ（サービス品質）中断時間が低減され得る、ＬＴＥ−Ａネットワークであり得るワイヤレス通信ネットワーク１００を示す。ワイヤレスネットワーク１００は、いくつかの発展型ノードＢ（ｅノードＢ）１１０と他のネットワークエンティティとを含む。ｅノードＢは、ＵＥと通信する局であり得、基地局、ノードＢ、アクセスポイントなどと呼ばれることもある。各ｅノードＢ１１０は、特定の地理的エリアに通信カバレージを提供し得る。３ＧＰＰでは、「セル」という用語は、この用語が使用されるコンテキストに応じて、ｅノードＢのこの特定の地理的カバレージエリアおよび／またはこのカバレージエリアをサービスするｅノードＢサブシステムを指すことがある。
【００２３】
ｅノードＢは、マクロセル、ピコセル、フェムトセル、および／または他のタイプのセルに通信カバレージを提供し得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅノードＢはマクロｅノードＢと呼ばれることがある。ピコセルのためのｅノードＢはピコｅノードＢと呼ばれることがある。また、フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂおよび１０２ｃのためのマクロｅノードＢである。ｅノードＢ１１０ｘは、ピコセル１０２ｘのためのピコｅノードＢである。また、ｅノードＢ１１０ｙおよび１１０ｚは、それぞれフェムトセル１０２ｙおよび１０２ｚのためのフェムトｅノードＢである。ｅノードＢは、１つまたは複数の（たとえば、２つ、３つ、４つなどの）セルをサポートし得る。
【００２４】
ワイヤレスネットワーク１００はまた、中継局を含み得る。中継局は、上流局（たとえば、ｅノードＢ、ＵＥなど）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、中継ｅノードＢ、中継器などと呼ばれることもある。
【００２５】
ワイヤレスネットワーク１００は、様々なタイプのｅノードＢ、たとえば、マクロｅノードＢ、ピコｅノードＢ、フェムトｅノードＢ、中継器などを含む異種ネットワークであり得る。これらの様々なタイプのｅノードＢは、様々な送信電力レベル、様々なカバレージエリア、およびワイヤレスネットワーク１００中の干渉に対する様々な影響を有し得る。たとえば、マクロｅノードＢは、高い送信電力レベル（たとえば、２０ワット）を有し得るが、ピコｅノードＢ、フェムトｅノードＢ、および中継器は、より低い送信電力レベル（たとえば、１ワット）を有し得る。
【００２６】
ワイヤレスネットワーク１００は、同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明する技法は、同期動作または非同期動作のいずれかのために使用され得る。
【００２７】
一態様では、ワイヤレスネットワーク１００は、周波数分割複信（ＦＤＤ）動作モードまたは時分割複信（ＴＤＤ）動作モードをサポートし得る。本明細書で説明する技法は、ＦＤＤ動作モードまたはＴＤＤ動作モードのいずれかのために使用され得る。
【００２８】
ネットワークコントローラ１３０は、ｅノードＢ１１０のセットに接続し、これらのｅノードＢ１１０の協調および制御を提供し得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００２９】
ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレットなどであり得る。ＵＥは、マクロｅノードＢ、ピコｅノードＢ、フェムトｅノードＢ、中継器などと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００３０】
ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。概して、変調シンボルは、ＯＦＤＭの場合は周波数領域で、ＳＣ−ＦＤＭの場合は時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）の対応するシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０、１５または２０ＭＨｚの対応するシステム帯域幅に対してそれぞれ１つ、２つ、４つ、８つまたは１６個のサブバンドがあり得る。
【００３１】
図２に、ＬＴＥにおいて使用されるダウンリンクＦＤＤフレーム構造を示す。ダウンリンクの送信タイムラインは無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００３２】
ＬＴＥでは、ｅノードＢは、ｅノードＢ中の各セルについてプライマリ同期信号（ＰＳＣまたはＰＳＳ：primary synchronization signal）とセカンダリ同期信号（ＳＳＣまたはＳＳＳ：secondary synchronization signal）とを送り得る。ＦＤＤ動作モードの場合、プライマリ同期信号およびセカンダリ同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ＦＤＤ動作モードの場合、ｅノードＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３３】
ｅノードＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。また、図２に示す例では、ＰＤＣＣＨおよびＰＨＩＣＨは最初の３つのシンボル期間中に含まれている。ＰＨＩＣＨは、ハイブリッド自動再送（ＨＡＲＱ）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信がスケジュールされたＵＥについてのデータを搬送し得る。
【００３４】
ｅノードＢは、ｅノードＢによって使用されるシステム帯域幅の中心１．０８ＭＨｚにおいてＰＳＣ、ＳＳＣおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分においてＵＥのグループにＰＤＳＣＨを送り得る。ｅノードＢは、すべてのＵＥにブロードキャスト方式でＰＳＣ、ＳＳＣ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方式でＰＤＳＣＨを送り得る。
【００３５】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。制御チャネルのために使用されるシンボルの場合、各シンボル期間中に基準信号のために使用されないリソース要素は、リソース要素グループ（ＲＥＧ）に構成され得る。各ＲＥＧは、１つのシンボル期間中の４つのリソース要素を含み得る。ＰＣＦＩＣＨは、シンボル期間０において、周波数にわたってほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨ用の３つのＲＥＧは、すべてシンボル期間０中に属し得るか、またはシンボル期間０、１および２中で拡散され得る。ＰＤＣＣＨは、最初のＭ個のシンボル期間において、利用可能なＲＥＧから選択され得る、９、１８、３６または７２個のＲＥＧを占有し得る。ＲＥＧのいくつかの組合せのみがＰＤＣＣＨに対して可能にされ得る。
【００３６】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨ中のすべてのＵＥに対して可能にされた組合せの数よりも少ない。ｅノードＢは、ＵＥが探索することになる組合せのいずれかにおいてＵＥにＰＤＣＣＨを送り得る。
【００３７】
ＵＥは、複数のｅノードＢのカバレージ内にあり得る。そのＵＥをサービスするために、これらのｅノードＢのうちの１つが選択され得る。サービングｅノードＢは、受信電力、経路損失、信号対雑音比（ＳＮＲ）など、様々な基準に基づいて選択され得る。
【００３８】
図３は、アップリンクロングタームエボリューション（ＬＴＥ）通信における例示的なＦＤＤおよびＴＤＤ（特殊ではないサブフレームのみ）サブフレーム構造を概念的に示すブロック図である。アップリンクのために利用可能なリソースブロック（ＲＢ）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図３の設計は、データセクション中の連続するサブキャリアのすべてを単一のＵＥに割り当てることを可能にし得る連続サブキャリアを含むデータセクションを生じる。
【００３９】
ＵＥは、ｅノードＢに制御情報を送信するために制御セクション中のリソースブロックを割り当てられ得る。ＵＥはまた、ｅノードＢにデータを送信するためにデータセクション中のリソースブロックを割り当てられ得る。ＵＥは、制御セクション中の割り当てられたリソースブロック上の物理アップリンク制御チャネル（ＰＵＣＣＨ：Physical Uplink Control Channel）中で制御情報を送信し得る。ＵＥは、データセクション中の割り当てられたリソースブロック上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示すように周波数上でホッピングし得る。一態様によれば、緩和シングルキャリア動作では、並列チャネルはＵＬリソース上で送信され得る。たとえば、制御およびデータチャネル、並列制御チャネル、ならびに並列データチャネルがＵＥによって送信され得る。
【００４０】
ＰＳＣ（プライマリ同期キャリア：primary synchronization carrier）、ＳＳＣ（セカンダリ同期キャリア：secondary synchronization carrier）、ＣＲＳ（共通基準信号：common reference signal）、ＰＢＣＨ、ＰＵＣＣＨ、ＰＵＳＣＨ、およびＬＴＥ／−Ａにおいて使用される他のそのような信号およびチャネルは、公開されている「Evolved Universal Terrestrial Radio Access (E-UTRA); Physical Channels and Modulation」と題する３ＧＰＰ  ＴＳ  ３６．２１１に記載されている。
【００４１】
図４に、図１の基地局／ｅノードＢのうちの１つであり得る基地局／ｅノードＢ１１０および図１のＵＥのうちの１つであり得るＵＥ１２０の設計のブロック図を示す。基地局１１０は、図１のマクロｅノードＢ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００４２】
基地局１１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ４２０は、データと制御情報とを処理（たとえば、符号化およびシンボルマッピング）して、それぞれデータシンボルと制御シンボルとを取得し得る。プロセッサ４２０はまた、たとえば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（たとえば、プリコーディング）を実行し得、出力シンボルストリームを変調器（ＭＯＤ）４３２ａ〜４３２ｔに提供し得る。各変調器４３２は、（たとえば、ＯＦＤＭなどの）それぞれの出力シンボルストリームを処理して、出力サンプルストリームを取得し得る。各変調器４３２はさらに、出力サンプルストリームを処理（たとえば、アナログへの変換、増幅、フィルタ処理、およびアップコンバート）して、ダウンリンク信号を取得し得る。変調器４３２ａ〜４３２ｔからのダウンリンク信号は、それぞれアンテナ４３４ａ〜４３４ｔを介して送信され得る。
【００４３】
ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに提供し得る。各復調器４５４は、それぞれの受信信号を調整（たとえば、フィルタ処理、増幅、ダウンコンバート、およびデジタル化）して、入力サンプルを取得し得る。各復調器４５４は、さらに、（たとえば、ＯＦＤＭなどの）入力サンプルを処理して、受信シンボルを取得し得る。ＭＩＭＯ検出器４５６は、すべての復調器４５４ａ〜４５４ｒから受信シンボルを取得し、適用可能な場合は受信シンボルに対してＭＩＭＯ検出を実行し、検出シンボルを与え得る。受信プロセッサ４５８は、検出シンボルを処理（たとえば、復調、デインターリーブ、および復号）し、ＵＥ１２０の復号されたデータをデータシンク４６０に与え、復号された制御情報をコントローラ／プロセッサ４８０に与え得る。
【００４４】
アップリンク上では、ＵＥ１２０において、送信プロセッサ４６４は、データソース４６２から（たとえば、ＰＵＳＣＨのための）データを受信し、処理し得、コントローラ／プロセッサ４８０から（たとえば、ＰＵＣＣＨのための）制御情報を受信し、処理し得る。プロセッサ４６４はまた、基準信号のための基準シンボルを生成し得る。送信プロセッサ４６４からのシンボルは、適用可能な場合はＴＸ  ＭＩＭＯプロセッサ４６６によってプリコードされ、さらに（たとえば、ＳＣ−ＦＤＭなどのために）変調器４５４ａ〜４５４ｒによって処理され、基地局１１０に送信され得る。基地局１１０において、ＵＥ１２０からのアップリンク信号は、アンテナ４３４によって受信され、復調器４３２によって処理され、適用可能な場合はＭＩＭＯ検出器４３６によって検出され、さらに受信プロセッサ４３８によって処理されて、ＵＥ１２０によって送られた復号されたデータおよび制御情報が取得され得る。プロセッサ４３８は、復号されたデータをデータシンク４３９に提供し、復号された制御情報をコントローラ／プロセッサ４４０に提供し得る。基地局１１０は、たとえば、Ｘ２インターフェース４４１を介して他の基地局にメッセージを送ることができる。
【００４５】
コントローラ／プロセッサ４４０および４８０は、それぞれ基地局１１０およびＵＥ１２０における動作を指示し得る。基地局１１０におけるプロセッサ４４０および／または他のプロセッサおよびモジュールは、本明細書で説明する技法のための様々なプロセスを実行するかまたはその実行を指示し得る。ＵＥ１２０におけるプロセッサ４８０および／または他のプロセッサならびにモジュールはまた、図１５の使用方法フローチャートに示す機能ブロック、および／または本明細書で説明する技法のための他のプロセスを実行するか、またはその実行を指示し得る。メモリ４４２および４８２は、それぞれ基地局１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００４６】
無線ネットワークとコアネットワークとが、基礎をなす技術が異なることにより同期からはずれている場合の、ネットワーク開始型ＱｏＳ中断時間を低減すること  
発展型高速パケットデータ（ＨＲＰＤ）（ｅＨＲＰＤ）ネットワークは、ＨＲＰＤネットワークとＬＴＥネットワークとの間のギャップをブリッジするのでハイブリッドネットワークと呼ばれることがある。図５に、本開示の一態様によるｅＨＲＰＤネットワーク５００を示す。この構成では、ｅＨＲＰＤネットワーク５００は、発展型パケットコア（ＥＰＣ）ネットワーク５１０と無線アクセスネットワーク（ＲＡＮ）５５０とを含む。ＲＡＮ５５０は、認証、許可およびアカウンティング（ＡＡＡ：authentication, authorization and accounting）サーバ／プロキシ５５２と、アクセスネットワーク（ＡＮ）ＡＡＡ（ＡＮ−ＡＡＡ）５５４と、発展型ＡＮ／パケット制御機能（ＰＣＦ）（ｅＡＮ／ＰＣＦ）５８２と、ＨＲＰＤトランシーバ基地局（ＢＴＳ）５８４と、アクセスネットワークパケット制御機能ＡＮ／ＰＣＦ５８６と、パケットデータサービングノード（ＰＤＳＮ）５８８と、基地局コントローラ（ＢＳＣ）／ＰＣＦ５９０と、１ｘ無線伝送技術（１ｘＲＴＴ）ＢＴＳ５９２とを含む。
【００４７】
ＲＡＮ５５０は、３ＧＰＰ２（３ｒｄ  Ｇｅｎｅｒａｔｉｏｎ  Ｐａｒｔｎｅｒｓｈｉｐ  Ｐｒｏｊｅｃｔ  ２）に従い、ＥＰＣネットワーク５１０は３ＧＰＰ（３ｒｄ  Ｇｅｎｅｒａｔｉｏｎ  Ｐａｒｔｎｅｒｓｈｉｐ  Ｐｒｏｊｅｃｔ）に従うので、代表として、ｅＨＲＰＤネットワーク５００はハイブリッドネットワークと呼ばれることがある。この構成では、ユーザ機器（ＵＥ）５６０は、ＲＡＮ５５０のＨＲＰＤサービングゲートウェイ（ＨＳＧＷ）５７０およびＥＰＣネットワーク５１０のパケットデータネットワーク（ＰＤＮ）ゲートウェイ（ＰＤＮ−ＧＷ）５２０に従って、３ＧＰＰ２  ＲＡＮ５５０およびＥＰＣネットワーク５１０とともに動作する。図５にさらに示すように、ＥＰＣネットワーク５１０は、３ＧＰＰ  ＡＡＡサーバ５１２と、サービングゲートウェイ（ＳＧＷ）５３０と、発展型ＵＭＴＳ地上波無線アクセスネットワーク（Ｅ−ＵＴＲＡＮ：evolved UMTS Terrestrial Radio Access Network）５４０と、モビリティ管理エンティティ（ＭＭＥ）５１６と、ホーム加入者サーバ（ＨＳＳ：home subscriber server）５１４と、ポリシーおよび課金ルール機能（ＰＣＲＦ：policy and charging rules function）５１８とを含む。（Ｅ−ＵＴＲＡＮ５４０とＳＧＷ５３０との間のＳ１−Ｕなど）様々なインターフェースプロトコルは例にすぎないことに留意されたい。他のインターフェースも企図される。
【００４８】
ＨＲＰＤでは、ＵＥ開始型ＱｏＳのみがサポートされる。ネットワーク開始型ＱｏＳは、以前は規格または商用展開においてサポートされなかった。ＵＥ開始型ＱｏＳの場合、ＵＥ５６０は、任意の時点において、ＵＥ５６０上で実行しているアプリケーションの要件に応じて、要求されたＱｏＳレベルを開始し、維持するために、ｅＨＲＰＤネットワーク５００とのプロシージャをトリガすることを担当する。ｅＨＲＰＤネットワーク５００は、（ネットワーク負荷と利用可能なリソースとに基づいて）特定のＵＥ５６０がどんなＱｏＳレベルを受信するかを最終的に決定するが、ＵＥ５６０は、ＱｏＳについてのネットワーク要求をいつ発行すべきかを決定する要因である。
【００４９】
ネットワーク開始型ＱｏＳの場合、ｅＨＲＰＤネットワーク５００は、ｅＨＲＰＤネットワーク５００上のアプリケーションサーバおよび他のポリシー判断エンティティからの情報に基づいて、ＵＥ５６０がＱｏＳを必要とするときに気づいていると仮定される。その結果、ｅＨＲＰＤネットワーク５００は、ネットワーク情報に基づいて、ネットワーク開始型ＱｏＳを許可するという判断が行われたとき、ＵＥ５６０にＱｏＳをプッシュする。それに応じて、ＵＥ５６０は、プロアクティブな方法では応答しないが、ｅＨＲＰＤネットワーク５００によって開始されたプロシージャに単に反応する。
【００５０】
ネットワーク開始型ＱｏＳは、概して、ＵＥ５６０による介入を伴わない。ｅＨＲＰＤネットワーク５００は、ネットワークリソースが、ＵＥ５６０上で実行しているアプリケーションのためのＱｏＳレベルをサポートするために利用可能であるとき、ＵＥ５６０にＱｏＳレベルを単にプッシュする。ＵＥ５６０が、ＱｏＳの特定のレベルがサポートされないｅＨＲＰＤネットワーク５００の部分に移動した場合、ＵＥアプリケーションはそのＱｏＳレベルを受信しないことになる。その後、ＵＥ５６０が、ＱｏＳレベルがサポートされるネットワークの部分に移動した場合、ネットワークはＵＥ５６０にＱｏＳレベルをプッシュすべきである。残念ながら、ＥＰＣネットワーク５１０と無線ネットワーク（ＲＡＮ）５５０とは、ＵＥ５６０がネットワーク開始型ＱｏＳを受信しているかどうかに関する同期を失い得る。
【００５１】
ＥＰＣネットワーク５１０と無線アクセスネットワーク（ＲＡＮ）５５０との間の失った同期は、図５のｅＨＲＰＤネットワーク５００内で起こり得る。上記のように、ｅＨＲＰＤネットワーク５００は、ＲＡＮ５５０が３ＧＰＰ２であり、ＥＰＣネットワーク５１０が３ＧＰＰである、ハイブリッドネットワークである。これは、ＵＥ５６０が、ＱｏＳのあるレベルをサポートするＲＡＮ機能があるｅＨＲＰＤネットワーク５００のエリアと、それがないｅＨＲＰＤネットワーク５００のエリアとの間を往復して移動するシナリオにおいて厄介な問題を引き起こす。たとえば、ＥＰＣネットワーク５１０は、ＵＥ５６０がネットワーク開始型ＱｏＳを受信していると仮定し得るが、無線アクセスネットワークレベルにおいて、ＵＥ５６０はソースＲＡＮ５５０からターゲットＲＡＮ５８０に移動したので、ＵＥ５６０はネットワーク開始型ＱｏＳを受信しない。言い換えれば、ｅＨＲＰＤネットワーク５００のＲＡＮ５５０とＥＰＣネットワーク５１０との間の通信欠如により、ＥＰＣネットワーク５１０は、ＥＰＣネットワーク５１０が許可され、提供しているＵＥアプリケーションのためのＱｏＳをＲＡＮ５５０が提供していないことに気付き得ない。
【００５２】
一態様では、アプリケーション介入を回避しながら、ＲＡＮ５５０とＥＰＣネットワーク５１０とが、基礎をなす技術が異なることにより同期からはずれている場合の、ネットワーク開始型ＱｏＳ中断時間またはネットワーク開始型ＱｏＳの途絶を低減するためのＵＥ介入について説明する。特に、ＵＥ５６０は、ネットワーク開始型ＱｏＳが失われたとき、ネットワーク開始型ＱｏＳを再開するための手段を開始することによって介入し得る。ＵＥ介入は、ＵＥ介入の無いネットワーク開始型ＱｏＳの途絶をもたらす呼またはサービスの全継続時間の間持続しうる、ＵＥアプリケーションがＱｏＳなしのままになる時間期間を低減する。ＵＥ介入は、ＲＡＮ５５０がネットワーク開始型ＱｏＳレベルをサポートするエリアにＵＥ５６０が移動したとき、ネットワーク開始型ＱｏＳを再開する。ＵＥ介入はまた、ＵＥ５６０がソースＲＡＮ５５０のカバレージエリアとターゲットＲＡＮ５８０のカバレージエリアとの間を移動するとき、ｅｖｏｌｕｔｉｏｎ  ｄａｔａ  ｏｎｌｙ（ＥＶ−ＤＯ）セッション情報を移行するためのインターフェース（たとえば、Ａ１３インターフェース）が利用不可能である場合に実行され得る。ＵＥ介入はまた、ＥＰＣネットワーク５１０がＵＥ５６０に関するＱｏＳパラメータを変更することを試みたが、ＲＡＮ５５０がその時点でＱｏＳをサポートすることができないときに実行され得る。
【００５３】
図６は、無線ネットワークとコアネットワークとが、基礎をなす技術が異なることにより同期からはずれている場合の、ネットワーク開始型ＱｏＳの中断を示すコールフロー図６００である。時間６１０において、ユーザ機器（ＵＥ）５６０のためのパケットデータネットワーク（ＰＤＮ）接続が、たとえば、図５に示すように、ソース無線アクセスネットワーク（ＲＡＮ）５５０においてＰＤＮゲートウェイ（ＰＤＮ−ＧＷ）５２０を用いて確立される。ネットワーク開始型サービス品質（ＱｏＳ）のセットアップをトリガするためのメッセージ（たとえば、リソース予約プロトコル（ＲＳＶＰ：resource reservation protocol）メッセージ）が、時間６２０においてＨＲＤＰサービングゲートウェイ（ＨＳＧＷ）５７０によって、たとえば、ＵＥ５６０上の高度モバイル加入者ソフトウェア（ＡＭＳＳ：Advance Mobile Subscriber Software）５６４に発行され得る。時間６３０において、ＲＡＮ  ＱｏＳセットアップがソースＲＡＮ５５０において実行される。さらに、トラフィックフローテンプレート（ＴＦＴ）は、時間６４０において、ネットワーク開始型ＱｏＳを提供するために、ＨＳＧＷ５７０によってセットアップされ得る。したがって、時間６５０において、ネットワーク開始型ＱｏＳがＨＳＧＷ５７０からトリガされ、ＵＥ５６０は、ＵＥアプリケーション５６２のための無線レベルＱｏＳとコアネットワークレベルＱｏＳとを成功裏にセットアップした。
【００５４】
図６に示すように、時間６６０において、ＵＥはソースＲＡＮ５５０からターゲットＲＡＮ５８０に移動するが、ソースＲＡＮ５５０とターゲットＲＡＮ５８０との間のインターフェース（たとえば、Ａ１３インターフェース）の不在により、ソースＲＡＮ５５０とターゲットＲＡＮ５８０との間でＥｖｏｌｕｔｉｏｎ  Ｄａｔａ  Ｏｎｌｙ（ＥＶ−ＤＯ）情報を移行することの失敗が発生する。時間６７０において、ＵＥ５６０は、ターゲットＲＡＮ５８０と新しいＥＶ−ＤＯセッションをセットアップする。時間６８０において、ＵＥ５６０は、ｅＨＲＰＤネットワーク５００が、ＲＡＮ  ＱｏＳをセットアップするようにＵＥ５６０をトリガすると推定するので、ＵＥ５６０はネットワーク開始型ＱｏＳに関してパッシブモードにとどまる。さらに、時間６９０において、ＨＳＧＷ５７０は、ＵＥ５６０がネットワーク開始型ＱｏＳを受信していないことに気づかない。時間６９０において、ＥＰＣネットワーク５１０とソースＲＡＮ５５０とは同期からはずれており、ＵＥアプリケーション５６２はネットワーク開始型ＱｏＳを受信していない。
【００５５】
図７は、本開示の一態様による、ネットワーク開始型ＱｏＳ中断時間を低減するためのＵＥ介入を示すコールフロー図７００である。図７に示すように、時間７１０〜時間７７０において行われるフローは、図６の時間６１０〜時間６７０において行われるフローに対応し得る。したがって、時間７５０において、ＵＥ５６０は、ＵＥアプリケーション５６２のための無線レベルＱｏＳとコアネットワークレベルＱｏＳとを成功裏にセットアップした。時間７６０において、ＵＥ５６０はソースＲＡＮ５５０からターゲットＲＡＮ５８０に移動するが、ソースＲＡＮ５５０とターゲットＲＡＮ５８０との間でＥＶ−ＤＯセッション情報を移行することの失敗が発生する。時間７７０において、ＵＥ５６０は、ターゲットＲＡＮ５８０と新しいＥＶ−ＤＯセッションをセットアップする。
【００５６】
図７に示すように、時間７８０において、ＵＥ５６０が異なるＲＡＮに移動するときはいつでも、ＵＥ５６０は無線ＱｏＳをプロアクティブにセットアップする。代表として、ＵＥ５６０は、ターゲットＲＡＮ５８０との無線ＱｏＳセットアップをプロアクティブにトリガする。時間７９０において、ＨＳＧＷ５７０からのネットワーク開始型トリガを待たずにターゲットＲＡＮ５８０においてＲＡＮ  ＱｏＳセットアップが実行される。時間７９２において、無線ＱｏＳセットアップがターゲットＲＡＮ５８０において成功した場合、ＵＥアプリケーション５６２はＱｏＳを受信する。
【００５７】
図８は、無線ネットワークとコアネットワークとが、基礎をなす技術が異なることにより同期からはずれている場合の、ネットワーク開始型ＱｏＳの中断を示すコールフロー図８００である。図８に示すように、時間８１０〜時間８５０において行われるフローは、図７の時間７１０〜時間７５０において行われるフローに対応し得る。したがって、時間８５０において、ＵＥ５６０は、無線レベルＱｏＳとコアネットワークレベルＱｏＳとを成功裏にセットアップしており、ＵＥアプリケーション５６２はＱｏＳを受信している。時間８６０において、ＵＥ５６０はソースＲＡＮ５５０からターゲットＲＡＮ５８０に移動し、Ａ１３インターフェースが、ＲＡＮ５５０とＲＡＮ５８０との間でＥＶ−ＤＯセッション情報を移行するために利用可能である。
【００５８】
図８に示すように、ＱｏＳコンテキストが、Ａ１３インターフェースを使用してソースＲＡＮ５５０からターゲットＲＡＮ５８０に移行される。時間８７０において、ターゲットＲＡＮ５８０は、その時点でネットワーク開始型ＱｏＳを許可することができない。たとえば、ターゲットＲＡＮ５８０は、ターゲットＲＡＮ５８０がＱｏＳを許可することができないことをＵＥ５６０に示すために、ＰｒｏｆｉｌｅＴｙｐｅ＝ＮＵＬＬであるＡｔｔｒｉｂｕｔｅＵｐｄａｔｅＲｅｑｕｅｓｔを送る。ネットワーク開始型ＱｏＳを許可することの障害は一時的であり得る。時間８８０において、ＵＥ５６０は、ｅＨＲＰＤネットワーク５００が、異なるＱｏＳをセットアップするようにＵＥ５６０をトリガすると推定するので、ＵＥ５６０はネットワーク開始型ＱｏＳに関してパッシブ状態にとどまる。時間８９０において、ＨＳＧＷ５７０は、ＵＥ５６０がＱｏＳを受信していないことに気づかない。その結果、ＥＰＣネットワーク５１０とソースＲＡＮ５５０とが同期からはずれているので、ＵＥアプリケーション５６２はＱｏＳを受信しない。
【００５９】
図９は、本開示のさらなる態様による、ネットワーク開始型ＱｏＳ中断時間を低減するためのＵＥ介入を示すコールフロー図９００である。図９に示すように、時間９１０〜時間９７０において行われるフローは、図８の時間８１０〜時間８７０において行われるフローに対応し得る。したがって、時間９７２において、ＵＥはターゲットＲＡＮ５８０において一時的ＱｏＳ障害を検出する。時間９７４において、ターゲットＲＡＮ５８０において一時的ＱｏＳ障害を検出すると、ＵＥ５６０はタイマーを開始する。時間９８０において、ＵＥ５６０は、ＨＳＧＷ５７０からの別のトリガをただ待つ代わりに、タイマーが満了した後、ターゲットＲＡＮ５８０とＱｏＳセットアップを再び試みる。時間９９０において無線ＱｏＳセットアップが成功した場合、ＵＥアプリケーション５６２は、時間９９２において無線ＱｏＳを受信する。成功しなかった場合、時間９７２〜時間９９０のプロセスが、構成可能な回数繰り返される。
【００６０】
図１０は、無線ネットワークとコアネットワークとが同期からはずれている場合の、ネットワーク開始型ＱｏＳの中断を示すコールフロー図１０００である。図１０に示すように、時間１０１０〜時間１０６０において行われるフローは、図８の時間８１０〜時間８６０において行われるフローに対応し得る。したがって、時間１０５０において、ＵＥ５６０は、無線レベルＱｏＳとコアネットワークレベルＱｏＳとを成功裏にセットアップしており、ＵＥアプリケーション５６２はＱｏＳを受信している。時間１０６０において、ＵＥ５６０はソースＲＡＮ５５０からターゲットＲＡＮ５８０に移動し、Ａ１３インターフェースが、ＲＡＮ５５０とＲＡＮ５８０との間で、ソースＲＡＮ５５０からターゲットＲＡＮ５８０へのＱｏＳコンテキストのＥＶ−ＤＯセッション情報移行を実行するために利用可能である。
【００６１】
図１０に示すように、時間１０７０において、ＵＥ５６０がソースＲＡＮ５５０において使用していたＱｏＳプロファイルをターゲットＲＡＮ５８０がサポートしないことを示す信号が発行される。たとえば、ターゲットＲＡＮ５８０は、ソースＲＡＮ５５０において使用されたプロファイルを含んでいないＡＮＳｕｐｐｏｒｔｅｄＱｏＳＰｒｏｆｉｌｅｓの更新されたリストを送る。時間１０８０において、ＵＥ５６０は、ｅＨＲＰＤネットワーク５００が、異なるＱｏＳセットアップを実行するようにＵＥ５６０をトリガすると推定するので、ＵＥ５６０はネットワーク開始型ＱｏＳに関してパッシブ状態にとどまる。時間１０９０において、ＨＳＧＷ５７０は、ＵＥ５６０がネットワーク開始型ＱｏＳを受信していないことに気づかない。その結果、ＥＰＣネットワーク５１０とソースＲＡＮ５５０とが同期からはずれているので、ＵＥアプリケーション５６２はネットワーク開始型ＱｏＳを受信しない。
【００６２】
図１１は、本開示のさらなる態様による、ネットワーク開始型ＱｏＳ中断時間を低減するためのＵＥ介入を示すコールフロー図１１００である。図１１に示すように、時間１１１０〜時間１１７０において行われるフローは、図１０の時間１０１０〜時間１０７０において行われるフローに対応し得る。したがって、時間１１７２において、ＵＥ５６０はターゲットＲＡＮ５８０において永続的ＱｏＳ障害を検出する。ターゲットＲＡＮ５８０において永続的ＱｏＳ障害を検出すると、時間１１７４において、ＵＥはＤｅｌａｙ＿ＱｏＳ＿Ｒｅｌｅａｓｅタイマーを開始する。時間１１７０において、ＵＥ５６０がソースＲＡＮ５５０に戻った場合、ネットワーク開始型ＱｏＳは回復される。特に、ＵＥ５６０は、時間１１８０において無線ＱｏＳセットアップをトリガする。時間１１９０において、ＲＡＮ  ＱｏＳセットアップがソースＲＡＮ５５０において実行される。時間１１９２において、ＵＥアプリケーション５６２は無線ＱｏＳを受信する。
【００６３】
図１２は、本開示の追加の態様による、ネットワーク開始型ＱｏＳ中断時間を低減するためのＵＥ介入を示すコールフロー図１２００である。図１２に示すように、時間１２１０〜時間１２７４において行われるフローは、図１１の時間１１１０〜時間１１７４において行われるフローに対応し得る。したがって、時間１２７６において、ＵＥ５６０が、タイマーが満了する前にソースＲＡＮ５５０に戻らない場合、時間１２８０において、ＵＥ５６０は、ＨＳＧＷ５７０にあるＴＦＴ（トラフィックフローテンプレート）（すなわち、ＱｏＳコンテキスト）を解放する。この構成では、ＴＦＴの解放は、ＵＥ５６０がネットワーク開始型ＱｏＳを受信していないことを理解することにおいてＥＰＣネットワーク５１０とソースＲＡＮ５５０とを同期させる。その結果、ＥＰＣネットワーク５１０はＵＥ５６０に代替のネットワーク開始型ＱｏＳをプッシュすることができる。
【００６４】
図１３は、無線ネットワークとコアネットワークとが、基礎をなす技術が異なることにより同期を失った場合の、ネットワーク開始型ＱｏＳの中断を示すコールフロー図１３００である。図１３に示すように、時間１３１０〜時間１３４０において行われるフローは、図１２の時間１２１０〜時間１２４０において行われるフローに対応し得る。したがって、時間１３５０において、ネットワーク開始型ＱｏＳがＨＳＧＷ５７０からトリガされており、ＵＥ５６０は、無線レベルＱｏＳとコアネットワークレベルＱｏＳとを成功裏にセットアップした。この構成では、ＵＥアプリケーション５６２は、第１のＱｏＳプロファイルに従ってネットワーク開始型ＱｏＳを受信している。
【００６５】
図１３に示すように、時間１３６０において、ＨＳＧＷ５７０は、第２のＱｏＳプロファイルに従ってＵＥ５６０の第１のＱｏＳプロファイルを変更することを試みる。時間１３７０において、ＵＥ５６０のＡＭＳＳ５６４は、第２のＱｏＳプロファイルに従ってＱｏＳのセットアップを要求する。しかしながら、時間１３７２において、ソースＲＡＮ５５０は、その時点で第２のＱｏＳプロファイルを許可することができない（または、ソースＲＡＮ５５０は第２のＱｏＳプロファイルをまったくサポートしない）。したがって、ＵＥ５６０は、第１のＱｏＳプロファイルに従う既存の無線レベルＱｏＳを失う。時間１３８０において、ＵＥ５６０はＨＳＧＷ５７０にあるＴＦＴフィルタを削除する。時間１３９０において、ＨＳＧＷ５７０は、第１のＱｏＳプロファイルに従ってネットワーク開始型ＱｏＳを再トリガすることもしないこともある。ＨＳＧＷ５７０がネットワーク開始型ＱｏＳをトリガした場合、ＵＥ５６０は、第１のＱｏＳプロファイルに従ってネットワーク開始型ＱｏＳとともに動作を再開する。時間１３９２において、時間１３５０のフローが繰り返される間、ＵＥ５６０がＱｏＳをもたないとき、大きい中断時間が発生する。
【００６６】
図１４は、本開示の別の態様による、ネットワーク開始型ＱｏＳ中断時間を低減するためのＵＥ介入を示すコールフロー図１４００である。図１４に示すように、時間１４１０〜時間１４７２において行われるフローは、図１３の時間１３１０〜時間１３７２において行われるフローに対応し得る。したがって、時間１４７２において、プロファイル２を用いた無線ＱｏＳセットアップを示す障害メッセージを受信すると、時間１４７４において、ＵＥ５６０は、第１のＱｏＳプロファイルに従って無線ＱｏＳを回復することをプロアクティブに試みる。ＵＥ５６０が無線ＱｏＳを回復することに成功した場合、ＨＳＧＷ５７０は、第１のＱｏＳプロファイルを回復するためにネットワーク開始型ＱｏＳを再トリガする必要はない。時間１４９０において、ＵＥ５６０は、第２のＱｏＳプロファイルに従うネットワーク開始型ＱｏＳの変更の失敗を示すためのＲＳＶＰメッセージを送る。したがって、ＵＥアプリケーション５６２は、第１のＱｏＳプロファイルに従ってネットワーク開始型ＱｏＳを保持し、それによって、アプリケーション介入を回避しながら、ネットワーク開始型ＱｏＳの中断時間またはネットワーク開始型ＱｏＳの途絶を低減する。この構成では、ソースＲＡＮ５５０が第２のＱｏＳプロファイル２をサポートしない場合、ＵＥ５６０は、第２のＱｏＳプロファイルに従う無線ＱｏＳの変更を回避する。別の構成では、ＲＡＮ５５０がビジーである場合、ＵＥアプリケーション５６２は後で再び試みることができる。
【００６７】
図１５に、本開示の別の態様による、ネットワーク開始型ＱｏＳ中断時間またはネットワーク開始型ＱｏＳの途絶を低減するためのＵＥ介入のための方法１５００を示す。ブロック１５１０において、ユーザ機器（ＵＥ）が、ネットワーク開始型サービス品質（ＱｏＳ）プロファイルに従ってソース無線アクセスネットワーク（ＲＡＮ）と通信する。たとえば、ＵＥ５６０は、図８〜図１２に示したように、ネットワーク開始型ＱｏＳプロファイルに従ってソースＲＡＮ５５０と通信し得る。ブロック１５１２において、ＵＥはターゲットＲＡＮに移行する。ブロック１５１４において、ＵＥは、ＱｏＳプロファイルを再確立するためにＱｏＳセットアップをトリガする。
【００６８】
一構成では、ＵＥ１２０は、通信するための手段を含むワイヤレス通信のために構成される。一態様では、通信手段は、通信手段によって具陳された機能を実行するように構成されるコントローラ／プロセッサ４８０、メモリ４８２、復変調器４５４ａ〜ｔおよび／またはアンテナ４５２ａ〜４５２ｒであり得る。ＵＥ１２０はまた、ターゲットＲＡＮに移行するための手段を含むように構成される。一態様では、この移行手段は、移行手段によって具陳された機能を実行するように構成されるコントローラ／プロセッサ４８０、メモリ４８２、復変調器４５４ａ〜ｔおよび／またはアンテナ４５２ａ〜４５２ｒであり得る。ＵＥ１２０はまた、ＱｏＳプロファイルを再確立するためにＱｏＳセットアップをトリガするための手段を含むように構成される。一態様では、トリガ手段は、トリガ手段によって具陳された機能を実行するように構成されるメモリ４８２、コントローラ／プロセッサ４８０、復変調器４５４ａ〜ｔおよび／またはアンテナ４５２ａ〜ｔであり得る。別の態様では、上述の手段は、上述の手段によって具陳された機能を実行するように構成されるモジュールまたは任意の装置であり得る。
【００６９】
さらに、本明細書の開示に関して説明した様々な例示的な論理ブロック、モジュール、回路、およびアルゴリズムステップは、電子ハードウェア、コンピュータソフトウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の決定は、本開示の範囲からの逸脱を生じるものと解釈されるべきではない。
【００７０】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、または任意の他のそのような構成として実装され得る。
【００７１】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに接続される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【００７２】
１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【００７３】
本開示についての以上の説明は、いかなる当業者も本開示を作成または使用することができるように提供したものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
ネットワーク開始型サービス品質（ＱｏＳ）プロファイルに従ってソース無線アクセスネットワーク（ＲＡＮ）と通信することと、
ターゲットＲＡＮに移行することと、
ユーザ機器（ＵＥ）が、前記ＱｏＳプロファイルを再確立するためにＱｏＳセットアップをトリガすることと
を備える、ワイヤレス通信の方法。
［Ｃ２］
前記ＱｏＳセットアップをトリガすることは、前記ターゲットＲＡＮがセッション転送をサポートしないとき、前記ターゲットＲＡＮにおいてＲＡＮ  ＱｏＳセットアップをトリガすることを備える、
［Ｃ１］に記載の方法。
［Ｃ３］
前記ターゲットＲＡＮが前記ＱｏＳプロファイルを許可することができないという指示を受信することと、
前記ＱｏＳセットアップをトリガする前に所定の時間期間待つことと
をさらに備える、［Ｃ１］に記載の方法。
［Ｃ４］
前記ターゲットＲＡＮが前記ＱｏＳプロファイルを許可することができないという前記指示を受信したことに応答して、前記待つことと、前記所定の時間期間の後に前記ＱｏＳセットアップを前記トリガすることとを所定の回数繰り返すこと
をさらに備える、［Ｃ３］に記載の方法。
［Ｃ５］
前記ターゲットＲＡＮが前記ＱｏＳプロファイルをサポートしないという指示を受信することと、
所定の時間期間待つことと、
ここで、前記ＵＥが前記所定の時間期間中に前記ソースＲＡＮに戻ったとき、前記ＱｏＳセットアップを前記トリガすることは、行われる、
前記ＵＥが前記所定の時間期間中に前記ソースＲＡＮに戻らないとき、コアネットワーク要素内のＱｏＳコンテキストを削除することと
をさらに備える、［Ｃ１］に記載の方法。
［Ｃ６］
ワイヤレス通信ネットワークにおける動作のために構成される装置であって、
メモリと、
前記メモリに接続された少なくとも１つのプロセッサと
を備え、前記少なくとも１つのプロセッサは、
ネットワーク開始型サービス品質（ＱｏＳ）プロファイルに従ってソース無線アクセスネットワーク（ＲＡＮ）と通信することと、
ターゲットＲＡＮに移行することと、
ユーザ機器（ＵＥ）が、前記ＱｏＳプロファイルを再確立するためにＱｏＳセットアップをトリガすることと
を行うように構成される、装置。
［Ｃ７］
前記プロセッサは、前記ターゲットＲＡＮがセッション転送をサポートしないとき、前記ターゲットＲＡＮにおいてＲＡＮ  ＱｏＳセットアップをトリガすることによって、前記ＱｏＳセットアップをトリガするようにさらに構成される、
［Ｃ６］に記載の装置。
［Ｃ８］
前記プロセッサは、
前記ターゲットＲＡＮが前記ＱｏＳプロファイルを許可することができないという指示を受信することと、
前記ＱｏＳセットアップをトリガする前に所定の時間期間待つことと
を行うようにさらに構成される、［Ｃ６］に記載の装置。
［Ｃ９］
前記プロセッサは、前記ターゲットＲＡＮが前記ＱｏＳプロファイルを許可することができないという前記指示を受信したことに応答して、前記待つことと、前記所定の時間期間の後に前記ＱｏＳセットアップを前記トリガすることとを所定の回数繰り返すようにさらに構成される、
［Ｃ８］に記載の装置。
［Ｃ１０］
前記プロセッサは、
前記ターゲットＲＡＮが前記ＱｏＳプロファイルをサポートしないという指示を受信することと、
所定の時間期間待つことと、
ここで、前記ＵＥが前記所定の時間期間中に前記ソースＲＡＮに戻ったとき、前記ＱｏＳセットアップを前記トリガすることが行われる、
前記ＵＥが前記所定の時間期間中に前記ソースＲＡＮに戻らないとき、コアネットワーク要素内のＱｏＳコンテキストを削除することと
を行うようにさらに構成される、［Ｃ６］に記載の装置。
［Ｃ１１］
マルチモデムユーザ機器（ＵＥ）におけるワイヤレス通信のために構成されるコンピュータプログラム製品であって、
非一時的プログラムコードを記録した非一時的コンピュータ可読媒体を備え、前記プログラムコードは、
ネットワーク開始型サービス品質（ＱｏＳ）プロファイルに従ってソース無線アクセスネットワーク（ＲＡＮ）と通信するためのプログラムコードと、
ターゲットＲＡＮに移行するためのプログラムコードと、
ユーザ機器（ＵＥ）が、前記ＱｏＳプロファイルを再確立するためにＱｏＳセットアップをトリガするためのプログラムコードと
を備える、コンピュータプログラム製品。
［Ｃ１２］
ワイヤレス通信システムにおいてマルチモデムユーザ機器（ＵＥ）のために動作可能な装置であって、
ネットワーク開始型サービス品質（ＱｏＳ）プロファイルに従ってソース無線アクセスネットワーク（ＲＡＮ）と通信するための手段と、
ターゲットＲＡＮに移行するための手段と、
ユーザ機器（ＵＥ）が、前記ＱｏＳプロファイルを再確立するためにＱｏＳセットアップをトリガするための手段と
を備える、装置。
［Ｃ１３］
ネットワーク開始型第１のサービス品質（ＱｏＳ）プロファイルに従って無線アクセスネットワーク（ＲＡＮ）と通信することと、
前記ＲＡＮが第２のＱｏＳプロファイルをサポートしないという指示、または前記ＲＡＮが第２のＱｏＳプロファイルを許可することができないという指示を受信することと、
ユーザ機器（ＵＥ）が、前記第１のＱｏＳプロファイルを再確立するためにＱｏＳセットアップをトリガすることと
を備える、ワイヤレス通信の方法。
［Ｃ１４］
前記指示が、前記ＲＡＮが前記第２のＱｏＳプロファイルを許可することができないという指示であるとき、所定の時間待つことと、次いで、
前記ＱｏＳセットアップをトリガすることを再試行することと
をさらに備える、［Ｃ１３］に記載の方法。
［Ｃ１５］
ワイヤレス通信ネットワークにおける動作のために構成される装置であって、
メモリと、
前記メモリに接続された少なくとも１つのプロセッサと
を備え、前記少なくとも１つのプロセッサは、
ネットワーク開始型第１のサービス品質（ＱｏＳ）プロファイルに従って無線アクセスネットワーク（ＲＡＮ）と通信することと、
前記ＲＡＮが第２のＱｏＳプロファイルをサポートしないという指示、または前記ＲＡＮが第２のＱｏＳプロファイルを許可することができないという指示を受信することと、
ユーザ機器（ＵＥ）が、前記第１のＱｏＳプロファイルを再確立するためにＱｏＳセットアップをトリガすることと
を行うように構成される、装置。
［Ｃ１６］
前記プロセッサは、
前記指示が、前記ＲＡＮが前記第２のＱｏＳプロファイルを許可することができないという指示であるとき、所定の時間待つことと、次いで、
前記ＱｏＳセットアップをトリガすることを再試行することと
を行うようにさらに構成される、［Ｃ１５］に記載の装置。
［Ｃ１７］
ワイヤレス通信のために構成されるコンピュータプログラム製品であって、
非一時的プログラムコードを記録した非一時的コンピュータ可読媒体を備え、前記プログラムコードは、
ネットワーク開始型第１のサービス品質（ＱｏＳ）プロファイルに従って無線アクセスネットワーク（ＲＡＮ）と通信するためのプログラムコードと、
前記ＲＡＮが第２のＱｏＳプロファイルをサポートしないという指示、または前記ＲＡＮが第２のＱｏＳプロファイルを許可することができないという指示を受信するためのプログラムコードと、
ユーザ機器（ＵＥ）が、前記第１のＱｏＳプロファイルを再確立するためにＱｏＳセットアップをトリガするためのプログラムコードと
を備える、コンピュータプログラム製品。
［Ｃ１８］
前記プログラムコードは、
前記指示が、前記ＲＡＮが前記第２のＱｏＳプロファイルを許可することができないという指示であるとき、所定の時間待つためのプログラムコードと、
前記所定の時間の後に前記ＱｏＳセットアップをトリガすることを再試行するためのプログラムコードと
をさらに備える、［Ｃ１７］に記載のコンピュータプログラム製品。
［Ｃ１９］
ワイヤレス通信ネットワークにおいて動作可能な装置であって、
ネットワーク開始型第１のサービス品質（ＱｏＳ）プロファイルに従って無線アクセスネットワーク（ＲＡＮ）と通信するための手段と、
前記ＲＡＮが第２のＱｏＳプロファイルをサポートしないという指示、または前記ＲＡＮが第２のＱｏＳプロファイルを許可することができないという指示を受信するための手段と、
ユーザ機器（ＵＥ）が、前記第１のＱｏＳプロファイルを再確立するためにＱｏＳセットアップをトリガするための手段と
を備える、装置。
［Ｃ２０］
前記指示が、前記ＲＡＮが前記第２のＱｏＳプロファイルを許可することができないという指示であるとき、所定の時間待つための手段と、
前記所定の時間の後に前記ＱｏＳセットアップをトリガすることを再試行するための手段と
をさらに備える、［Ｃ１９］に記載の装置。
【図１】
0005833240.tif 000002
【図２】
0005833240.tif 000003
【図３】
0005833240.tif 000004
【図４】
0005833240.tif 000005
【図５】
0005833240.tif 000006
【図６】
0005833240.tif 000007
【図７】
0005833240.tif 000008
【図８】
0005833240.tif 000009
【図９】
0005833240.tif 000010
【図１０】
0005833240.tif 000011
【図１１】
0005833240.tif 000012
【図１２】
0005833240.tif 000013
【図１３】
0005833240.tif 000014
【図１４】
0005833240.tif 000015
【図１５】
0005833240.tif 000016